(57)【要約】【課題】  ローミング先の端末への一斉通報を少ない回線で行うことができる構内無線システムを提供する。【解決手段】  複数のシステムを接続して端末をローミングするローミング機能と、同時に多数の端末へ音声出力する一斉通報機能を備えた構内無線システムにおいて、各システムの制御装置１０の制御部１１が、方路テーブル１２を参照して、会議トランク１３に、開催者用チャネル、複数の端末に音声出力を行うモニタ用チャネル、接続先システムの開催者用チャネルに接続する中継用チャネルを形成すると共に、ローミング先の端末をローミング先のモニタ用チャネルに接続する制御を行うものである。【選択図】        図５
2012129877.tif 000002
【特許請求の範囲】
【請求項１】
複数のシステムを接続して端末をローミングするローミング機能と、同時に多数の端末へ音声出力する一斉通報機能を備えた構内無線システムであって、
前記各システムの制御装置が、システム間の通信を行うための方路を設定した方路テーブルと、音声合成を行う会議トランクと、ローミング先の端末をローミング先のモニタ用チャネルに接続する制御を行う制御部とを有し、
前記方路テーブルを参照して、前記会議トランクに、開催者用チャネル、複数の端末に音声出力を行うモニタ用チャネル、接続先システムの開催者用チャネルに接続する中継用チャネルを形成することを特徴とする構内無線システム。
【発明の詳細な説明】
【技術分野】
【０００１】
本発明は、構内無線システムに係り、特に、ローミング先の端末への一斉通報を少ない回線で行うことができる内線電話を含む構内無線システムに関する。
【背景技術】
【０００２】
［従来の技術］
従来の構内無線システムについて説明する。
従来の構内無線システムにおいて、無線内線電話端末（ＰＳ）への一斉通報機能がある。
一斉通報機能は、開催者の端末等（ＰＳ、ページング装置等）によって起動され、開催者の回線を会議通話のトランクに接続し、システム全域に一斉通報のページング着信を行うようになっている。
【０００３】
そして、当該ページング着信を受け取る設定が為されたＰＳが自動的に発信し、発信してきたＰＳの回線を一つのモニタ設定の会議通話のトランクと接続する。
このようにして、開催者のトランクとモニタトランクで会議通話が形成されているため、開催者の発した音声はモニタトランクを通して接続された全てのＰＳへ届けられる。
【０００４】
通常の会議通話のトランクは、一つに１回線が接続し、このトランクをグループにまとめることで複数回線による双方向通話、会議通話の機能を実現している。
モニタ設定のトランクは、接続した回線へ音声を送る機能を持つが、接続した回線から音声を受けることはできない。その代わり複数の回線を一つのトランクに接続することができる。これにより、会議トランク数の上限を超える数のＰＳとの間に片通話とはいえ通信路をもうけることができる。
【０００５】
また片通話で開催者からの音声を聴取中のＰＳも、保留ボタン押下の操作で開催者と同じように自らの音声を報知することができる。
このとき、操作者の回線はモニタトランクから外され、新たに確保された会議トランクに接続され、上記の会議通話に参加している。一斉通報で同時に音声を報知できる回線数は、会議通話で確保可能な会議トランクの数に依る。
【０００６】
［ローミング概略：図７］
また、ローミング機能とは、ＩＳＤＮ（Integrated Services Digital Network）回線等の通信回線で接続された複数の無線内線電話システム(以下、ＣＳ)において、図７に示すように、システムＣＳ１に登録されたＰＳがＣＳ２のシステム下においても一部又は全ての機能が使用可能となる機能である。図７は、ローミングの概略を示す図である。
【０００７】
ここで、図７に示すように、端末ＣＳ１−ＰＳ１と端末ＣＳ１−ＰＳ２との間はシステムＣＳ１内の通常通話を行うものであり、端末ＣＳ１−ＰＳ２と端末ＣＳ２−ＰＳ１との間はシステム間通話であり、端末ＣＳ１−ＰＳ２と端末ＣＳ１−ＰＳ３との間はローミング通話である。
例えば、図７の端末ＣＳ１−ＰＳ３はシステムＣＳ１に登録されており、システムＣＳ２には登録されていない端末であるが、ＣＳ２の配下の通話エリアにおいても番号の変更など無しに位置登録を行い、通話を行うことができる。
【０００８】
［従来の一斉通報シーケンス：図８］
従来の一斉通報シーケンスについて図８を参照しながら説明する。図８は、従来の一斉通報シーケンスを示す略図である。
従来の一斉通報シーケンスは、図８に示すように、交換機（ＣＳの制御装置）が「一斉通報開始」を入力すると、ＰＳ制御部（制御装置）に「一斉通報」を出力し、ＰＳ制御部がＰＳに「一斉通報（ＳＥＴＵＰ）」を送信する。
【０００９】
ＰＳから「プリセット特番発呼（ＳＥＴＵＰ）」を送信し、ＰＳ制御部が交換機に「プリセット発呼完了」を出力し、「呼設定受付」の返信を受ける。ＰＳ制御部は、ＰＳに「呼設定受付（ＣＡＬＬＰＲＯＣ）」を送信し、その結果、ＰＳより「認証応答」の返信を受け、交換機に「認証完了」を出力する。
【００１０】
ＰＳ制御部が交換機からの「呼出要求」を入力すると、ＰＳに「呼出（ＡＬＥＲＴ）」を送信し、交換機からの「呼設定応答」の入力を受けると、ＰＳに「応答（ＣＯＮＮ）」を送信し、モニタトランクと接続し、モニタ通話を行うことができる。
【００１１】
［従来のローミング一斉通報シーケンス：図９］
次に、従来のローミング一斉通報シーケンスについて図９を参照しながら説明する。図９は、従来のローミング一斉通報シーケンスを示す略図である。
従来のローミング一斉通報シーケンスは、図９に示すように、ローミング元の交換機（制御装置）から「一斉通報開始要求」が出力されると、ローミング元のローミング制御部（制御装置）が「一斉通報発呼（ＳＥＴＵＰ）」をローミング先のローミング制御部に送信し、ローミング制御部は、「一斉通報開始要求」をローミング先の交換機に出力し、当該交換機が「一斉通報」をＰＳ制御部（制御装置）に出力し、ＰＳ制御部がＰＳに「一斉通報（ＳＥＴＵＰ）」を送信する。
【００１２】
その後、ＰＳから「プリセット特番発呼（ＳＥＴＵＰ）」を送信し、ＰＳ制御部が交換機に「プリセット発呼完了」を出力し、「呼設定受付」の返信を受ける。ＰＳ制御部は、ＰＳに「呼設定受付（ＣＡＬＬＰＲＯＣ）」を送信し、「認証応答」の返信を受け、交換機に「認証完了」を出力する。
【００１３】
交換機は、ローミング先のローミング制御部に「認証要求」を出力し、当該ローミング制御部は、ローミング元のローミング制御部に「プリセット発呼（ＳＥＴＵＰ）」を送信し、ローミング元のローミング制御部は、ローミング元の交換機に「呼設定表示」を出力し、「呼設定受付要求」の返信を受ける。当該ローミング制御部は、「ＣＡＬＬＰＲＯＣ」をローミング先のローミング制御部に送信し、当該ローミング制御部は、交換機に「呼設定受付表示」を出力する。
【００１４】
更に、ローミング元の交換機が「呼出要求」をローミング元のローミング制御部に出力すると、当該ローミング制御部が「呼出要求」をローミング先のローミング制御部に送信し、当該ローミング制御部が交換機に「呼出要求」を出力し、当該交換機がＰＳ制御部に「呼出要求」を出力し、ＰＳ制御部が「呼出（ＡＬＥＲＴ）」をＰＳに送信する。
また、ローミング元の交換機が「呼設定応答」をローミング元のローミング制御部に出力すると、当該ローミング制御部が「呼設定応答」をローミング先のローミング制御部に送信し、当該ローミング制御部が交換機に「呼設定応答」を出力し、当該交換機がＰＳ制御部に「呼設定応答」を出力し、ＰＳ制御部が「応答（ＣＯＮＮ）」をＰＳに送信する。
このようにして、モニタトランクと接続し、モニタ通話ができる。
【００１５】
［関連技術］
尚、関連する先行技術として、特開２００７−０１９７７８号公報「無線通信端末」（株式会社日立国際電気）［特許文献１］がある。
特許文献１には、音声通話と文字メッセージの受信が可能な無線通信端末において、音声通話中の着信について報知動作を行い、音声通話の切断後に、その着信が文字メッセージを含む情報として送信されたものと判断された場合、音声通話の切断後に着信した情報に含まれる文字メッセージを記憶部に記憶し、当該文字メッセージの表示指示が為されると、表示部に当該文字メッセージを表示することが示されている。
【先行技術文献】
【特許文献】
【００１６】
【特許文献１】特開２００７−０１９７７８号公報
【発明の概要】
【発明が解決しようとする課題】
【００１７】
しかしながら、従来の構内無線システムでは、ローミング中の端末が存在する場合に、その時に一斉通報が行われると、ローミング先のＣＳとローミング元のＣＳとの間の通信回線は、そのローミング先で一斉通報に接続するＰＳの数分だけ使用されてしまい、通信回線を多く使用してしまうという問題点があった。
【００１８】
具体的には、多数のＰＳがローミング中である場合は、一斉通報に応答するＰＳとの回線でＣＳ間の通信回線が埋まってしまい、一斉通報の間はＣＳ間の通話がまったくできなくなってしまう。
またＣＳ間の接続でＣＳ１とＣＳ２が接続し、ＣＳ２とＣＳ３が接続し、ＣＳ１とＣＳ３の間をＣＳ２が中継しているような接続関係になっていると、ＣＳ１とＣＳ３の間でローミングを行い、一斉通報を行うと、ＣＳ２ではＣＳ間通話を行っていない場合でも、ＣＳ１、ＣＳ３の両側の回線が全て埋まってしまうことになる。
【００１９】
本発明は上記実情に鑑みて為されたもので、ローミング先の端末への一斉通報を少ない回線で行うことができる構内無線システムを提供することを目的とする。
【課題を解決するための手段】
【００２０】
上記従来例の問題点を解決するための本発明は、複数のシステムを接続して端末をローミングするローミング機能と、同時に多数の端末へ音声出力する一斉通報機能を備えた構内無線システムであって、各システムの制御装置が、システム間の通信を行うための方路を設定した方路テーブルと、音声合成を行う会議トランクと、ローミング先の端末をローミング先のモニタ用チャネルに接続する制御を行う制御部とを有し、方路テーブルを参照して、会議トランクに、開催者用チャネル、複数の端末に音声出力を行うモニタ用チャネル、接続先システムの開催者用チャネルに接続する中継用チャネルを形成することを特徴とする。
【発明の効果】
【００２１】
本発明によれば、各システムの制御装置が、システム間の通信を行うための方路を設定した方路テーブルと、音声合成を行う会議トランクと、ローミング先の端末をローミング先のモニタ用チャネルに接続する制御を行う制御部とを有し、方路テーブルを参照して、会議トランクに、開催者用チャネル、複数の端末に音声出力を行うモニタ用チャネル、接続先システムの開催者用チャネルに接続する中継用チャネルを形成する構内無線システムとしているので、ローミング先の端末への一斉通報を少ない回線で行うことができる効果がある。
【図面の簡単な説明】
【００２２】
【図１】本発明の実施の形態に係る構内無線システムの構成ブロック図である。
【図２】ＣＳ接続例を示す図である。
【図３】ＣＳ１の方路テーブルの例の図である。
【図４】ＣＳ４の方路テーブルの例の図である。
【図５】ローミング一斉通報の音声接続処理例を示す概略図である。
【図６】本実施の形態に係るローミング一斉通報シーケンスを示す略図である。
【図７】ローミングの概略を示す図である。
【図８】従来の一斉通報シーケンスを示す略図である。
【図９】従来のローミング一斉通報シーケンスを示す略図である。
【発明を実施するための形態】
【００２３】
本発明の実施の形態について図面を参照しながら説明する。
［実施の形態の概要］
本発明の実施の形態に係る構内無線システムは、複数のシステムを接続して端末をローミングするローミング機能と、同時に多数の端末へ音声出力する一斉通報機能を備えた構内無線システムにおいて、各システムの制御装置の制御部が、方路テーブルを参照して、会議トランクに、開催者用チャネル、複数の端末に音声出力を行うモニタ用チャネル、接続先システムの開催者用チャネルに接続する中継用チャネルを形成すると共に、ローミング先の端末をローミング先のモニタ用チャネルに接続する制御を行うものであり、ローミング先の端末への一斉通報を少ない回線で行うことができるものである。
【００２４】
［本システム：図１］
本発明の実施の形態に係る構内無線システムについて図１を参照しながら説明する。図１は、本発明の実施の形態に係る構内無線システムの構成ブロック図である。
本発明の実施の形態に係る構内無線システム（本システム）は、例えば、図１に示すように、無線内線電話システムＣＳ１の制御装置１０−１と、無線内線電話システムＣＳ３の制御装置１０−３と、無線内線電話システムＣＳ５の制御装置１０−５と、無線内線電話システムＣＳ６の制御装置１０−６とを基本的に有している。
図１では、制御装置１０−１は制御装置１０−３に接続し、制御装置１０−３は制御装置１０−５と制御装置１０−６に接続している。
【００２５】
［本システムの各部］
本システムの各部について具体的に説明する。
制御装置は、制御部１１と、方路テーブル１２と、会議トランク１３と、ＣＳ間インタフェース１４を備えている。
【００２６】
［制御部１１］
制御部１１は、方路テーブル１２にデータを設定して当該データを参照可能とし、会議トランクを制御し、無線内線電話端末を登録し、一斉通報機能を備え、ＣＳ間通話、ＣＳ間ローミング機能を備え、後述する特徴的な処理を実行するものである。
【００２７】
［方路テーブル１２］
方路テーブル１２は、図示しない記憶部に記憶され、ＣＳ番号とそのＣＳに対応する局番、接続方法が設定され、ＰＳの登録されたＣＳを判別するのに用いられる。
接続方法は、直接又は間接の接続方法が設定されている。
そして、方路テーブル１２は、ＣＳ間通話、ローミング可能な全てのＣＳに対する方路のテーブルとなっている。
【００２８】
［会議トランク１３］
会議トランク１３は、複数の回線の音声を合成する会議トランクである。
［ＣＳ間インタフェース１４］
ＣＳ間インタフェース１４は、接続先の制御装置のＣＳ間インタフェース１４に接続し、ＣＳ間の通信を可能にしている。
【００２９】
尚、制御装置１０−３は、制御装置１０−１、制御装置１０−５及び制御装置１０−６に接続するため、３つのＣＳ間インタフェースを備えている。
図１において、制御装置１０−５及び制御装置１０−６で、制御部、方路テーブル、会議トランクを描画していないが、当然に備えているものである。
【００３０】
また、あるＣＳ配下の端末で、そのＣＳに登録されている端末をホームＰＳ、他のＣＳからローミングしてきている端末をビジタＰＳと称することがある。あるＰＳが登録されているＣＳをホームＣＳと称することがある。
【００３１】
［ＣＳ接続例：図２］
次に、ＣＳの接続例について図２を参照しながら説明する。図２は、ＣＳ接続例を示す図である。
ＣＳ接続例は、図２に示すように、ＣＳ１はＣＳ２及びＣＳ３に接続し、ＣＳ２はＣＳ４に接続し、ＣＳ３はＣＳ５及びＣＳ６に接続している。
また、ＣＳ１には局番「８１」「６１」が設定され、ＣＳ２には局番「８２」「６２」が設定され、ＣＳ３には局番「８３」「６３」が設定され、ＣＳ４には局番「８４」「６４」が設定され、ＣＳ５には局番「８５」「６５」が設定され、ＣＳ６には局番「８６」「６６」が設定されている。設定された局番は、方路テーブルに記憶されている。
【００３２】
［方路テーブル：図３，４］
次に、図２のＣＳ接続例における方路テーブルについて図３、図４を参照しながら説明する。図３は、ＣＳ１の方路テーブルの概略図であり、図４は、ＣＳ４の方路テーブルの概略図である。
【００３３】
［ＣＳ１の方路テーブル：図３］
方路テーブルには、基本的に、ＣＳ番号と局番、接続方法が設定されており、ＣＳ１の方路テーブルは、図３に示すように、ＣＳ番号「ＣＳ１」に対して、局番「８１」「６１」が、接続方法「自分」が設定され、ＣＳ番号「ＣＳ２」に対して、局番「８２」「６２」が、接続方法「直接」が設定され、...、ＣＳ番号「ＣＳ６」に対して、局番「８６」「６６」が、接続方法「ＣＳ３」が設定されている。
【００３４】
ここで、接続方法「ＣＳ３」とは、最初にＣＳ３を介して接続することを意味している。また、「接続方法」は、そのＣＳ番号のＣＳが自身にたいしてどのような論理的な接続位置にあるかを示すものである。
特に、本実施の形態においては、方路テーブルに「自分」「直接」意外に、最初の経由先のＣＳ番号を設定できるようにしたことに特徴がある。
【００３５】
この場合、内線番号が「８１００２」のＰＳはＣＳ１に属するＰＳであり、内線番号が「６６１」のＰＳはＣＳ６に属するＰＳというように判別できる。
つまり、ＣＳの接続を行いＣＳ間通信、ローミングを行う場合は、当然このような方路テーブルを記載できる番号計画を行わなければならない。
【００３６】
［ＣＳ４の方路テーブル：図４］
ＣＳ４の方路テーブルは、図４に示すように、ＣＳ番号「ＣＳ１」に対して、局番「８１」「６１」が、接続方法「ＣＳ２」が設定され、ＣＳ番号「ＣＳ２」に対して、局番「８２」「６２」が、接続方法「直接」が設定され、...、ＣＳ番号「ＣＳ４」に対して、局番「８４」「６４」が、接続方法「自分」が設定され、...、ＣＳ番号「ＣＳ６」に対して、局番「８６」「６６」が、接続方法「ＣＳ２」が設定されている。
【００３７】
また、局番について具体的に説明すると、局番とは内線番号の上数桁を示し、各ＣＳはＰＳの内線番号の上数桁で方路テーブルを検索することで、そのＰＳの登録されたＣＳを判別する。
そのため、局番は方路テーブルに登録される他の局番に対して独立でなければならない。たとえば「８」という局番が設定された場合、「８３」、「８９」などは「８」に含まれるため設定できない。
【００３８】
［一斉通報のＣＳ間伝達］
一斉通報はそのＣＳ内の全てのエリアに一斉通報の着信をかけ、その一斉通報に対応した設定のされた端末が自ら発信を行うことで通信路を形成する。ローミング端末に対して一斉通報を行うためには、ローミング先のＣＳに対して制御信号により一斉通報の実施を要求しなければならない。そのため一斉通報の要求の制御信号に送り先のＣＳ番号を載せる。
【００３９】
図２のＣＳ接続例におけるＣＳ４で一斉通報を行った場合、一斉通報の制御信号は以下のように伝達される。
まず、ＣＳ４の制御部は、ＣＳ４内部（自身）へのＣＳ４一斉通報を行い、ＣＳ４の方路テーブルを参照してＣＳ４からＣＳ２にＣＳ４一斉通報要求（送り先ＣＳ１，ＣＳ２，ＣＳ３，ＣＳ５，ＣＳ６）を送信する。
【００４０】
次に、ＣＳ２の制御部は、ＣＳ２内部へのＣＳ４一斉通報を行い、ＣＳ２の方路テーブルを参照してＣＳ２からＣＳ１にＣＳ４一斉通報要求（送り先ＣＳ１，ＣＳ３，ＣＳ５，ＣＳ６）を送信する。
更に、ＣＳ１の制御部は、ＣＳ１内部へのＣＳ４一斉通報を行い、ＣＳ１の方路テーブルを参照してＣＳ１からＣＳ３にＣＳ４一斉通報要求（送り先ＣＳ３，ＣＳ５，ＣＳ６）を送信する。
【００４１】
次に、ＣＳ３の制御部は、ＣＳ３内部へのＣＳ４一斉通報を行い、ＣＳ３の方路テーブルを参照してＣＳ３からＣＳ５にＣＳ４一斉通報要求（送り先ＣＳ５）を送信すると共に、ＣＳ３からＣＳ６にＣＳ４一斉通報要求（送り先ＣＳ６）を送信する。
そして、ＣＳ５の制御部は、ＣＳ５内部へのＣＳ４一斉通報を行い、ＣＳ６の制御部は、ＣＳ６内部へのＣＳ４一斉通報を行う。
【００４２】
［ローミング一斉通報の音声接続：図５］
本システムにおけるローミング一斉通報の音声接続処理について図５を参照しながら説明する。図５は、ローミング一斉通報の音声接続処理例を示す概略図である。
本システムにおけるローミング一斉通報の音声接続処理は、図５に示すように、基本的には、一斉通報の音声が会議トランクを利用して行われるものである。
【００４３】
会議トランクのチャネルには設定により１回線と接続し、音声の送信と受信が可能な通常の会議トランクのチャネルの他に、音声の送信のみに特化し、複数の回線を接続できるモニタ用の会議トランクのチャネルがある。
一斉通報では、このモニタ会議トランクに一斉通報開催者以外の回線を接続することで、会議トランクのチャネル数以上の回線へ音声を放送する。
【００４４】
また、モニタで一斉通報聴取中の参加者のＰＳは、保留などの特定操作を行うことにより、開催者と同様に音声を放送することができる。これはそのＰＳの回線をモニタ用のチャネルから会議トランクの空きチャネルに接続しなおすことにより、開催者と同様に双方向通話をできる様にする。この操作が可能なＰＳは、会議トランクの空きチャネル数に依存する。
【００４５】
ローミング一斉通報の時、図５に示すように、会議トランクには「開催者用のチャネル」、参加者の「モニタ用のチャネル」、「中継用のチャネル」が用意される。また、参加者が音声を放送するために保留操作が為された場合には、「保留者用のチャネル」が用意される。
【００４６】
「中継用のチャネル」は、直接接続のＣＳ分用意され、ＣＳ間の一斉通報要求を行った先の「開催者用のチャネル」と接続する。ローミング先では、中継元とのＣＳ間通信が「開催者用のチャネル」に接続される他は中継元と同様となる。中継先が複数ある場合は、会議トランクの中継用チャネルもその中継先と同じだけ必要になる。
【００４７】
従来の会議トランクは、ローミング先ＣＳの開催者用のチャネル、モニタ用のチャネルを設けて、その開催者用のチャネルに接続する中継用のチャネルを設けるものではない。
更に、従来の会議トランクでは、ローミング先ＣＳにある参加者の端末が、ローミング元（ホームＣＳ）のモニタ用のチャネルに接続するもので、ローミング先の全てのＰＳがホームＣＳと通信路を開くため、ローミング端末数だけ通信回線が必要となっていた。
【００４８】
本システムでは、一斉通報時はＣＳ間の通信回線は１回線のみとし、各ＣＳへのローミングＰＳは、そのＣＳ下のホームＰＳへの一斉通報と同様のシーケンスで接続を行うものである。
【００４９】
［ローミング一斉通報シーケンス：図６］
本実施の形態に係るローミング一斉通報シーケンスについて図６を参照しながら説明する。図６は、本実施の形態に係るローミング一斉通報シーケンスを示す図である。
本システムにおけるローミング一斉通報シーケンスは、図６に示すように、ローミング元の交換機（制御装置）から「一斉通報開始要求」が出力されると、ローミング元のローミング制御部（制御装置）が「一斉通報発呼（ＳＥＴＵＰ）」をローミング先のローミング制御部に送信し、ローミング制御部は、「一斉通報開始要求」をローミング先の交換機に出力し、当該交換機が「一斉通報」をＰＳ制御部（制御装置）に出力し、ＰＳ制御部がＰＳに「一斉通報（ＳＥＴＵＰ）」を送信する。
【００５０】
ローミング先の交換機は、「呼設定要求」をローミング制御部に出力し、当該ローミング制御部は、「プリセット発呼（ＳＥＴＵＰ）」をローミング元のローミング制御部に送信する。当該ローミング制御部は、交換機に「呼設定表示」を出力し、「呼設定受付要求」の返信を受け、ローミング先のローミング制御部に「ＣＡＬＬ−ＰＲＯＣ」を送信して、当該ローミング制御部は、交換機に「呼設定表示受付」を送信して、会議トランクと接続して通話を開始する。
【００５１】
その後、本システムの特徴部分として、ＰＳから「プリセット特番発呼（ＳＥＴＵＰ）」を送信し、ＰＳ制御部が交換機に「プリセット発呼完了」を出力し、「呼設定受付」の返信を受ける。ＰＳ制御部は、ＰＳに「呼設定受付（ＣＡＬＬＰＲＯＣ）」を送信し、「認証応答」の返信を受け、交換機に「認証完了」を出力する。
【００５２】
交換機から「呼出要求」をＰＳ制御部が入力すると、ＰＳに「呼出（ＡＬＥＲＴ）」を送信し、交換機から「呼設定応答」の入力を受けると、ＰＳに「応答（ＣＯＮＮ）」を送信し、モニタトランクと接続し、モニタ通話を行うことができる。
これにより、各ＣＳへのローミングＰＳは、そのＣＳ下のホームＰＳへの一斉通報と同様のシーケンスで接続を行うことができる。
【００５３】
［実施の形態の効果］
本システムによれば、ローミング端末が多数ある状況で一斉通報を行っても、会議トランク１３に中継用のチャネルを設けて接続先ＣＳの開催者用のチャネルに接続し、更に当該ＣＳ内で中継用のチャネルを介して他の接続先ＣＳに接続し、各ＣＳではモニタ用のチャネルで参加者に音声出力するようにしているので、システム間の回線が占有されず、少ない回線で通信を行うことができる効果がある。
【産業上の利用可能性】
【００５４】
本発明は、ローミング先の端末への一斉通報を少ない回線で行うことができる構内無線システムに好適である。
【符号の説明】
【００５５】
１...開催者端末、  ２...参加者端末、  １０...制御装置、  １１...制御部、  １２...方路テーブル、  １３...会議トランク、  １４...ＣＳ間インタフェース
【図１】
2012129877.tif 000003
【図２】
2012129877.tif 000004
【図３】
2012129877.tif 000005
【図４】
2012129877.tif 000006
【図５】
2012129877.tif 000007
【図６】
2012129877.tif 000008
【図７】
2012129877.tif 000009
【図８】
2012129877.tif 000010
【図９】
2012129877.tif 000011